(57)【要約】  本発明は、ドアクローザなどのためのスライドレール（１）であって、スライド部材（３）をガイドするためのガイドレール（２）を備えた形式のものに関する。視覚的な観点で好ましい印象を与え、かつ個別的な要求に簡単に適合させることのできる新たな形式のスライドレール（１）を提供するために、本発明によれば、ガイドレール（２）が、カバーエレメント（９）によって被覆されるようになっている。
2007528954.tif 000002
【特許請求の範囲】
【請求項１】
ドアクローザなどのためのスライドレールであって、
スライド部材をガイドするためのガイドレールを備えている形式のものにおいて、
ガイドレール（２）が、カバーエレメント（９）によって被覆されるようになっていることを特徴とする、ドアクローザなどのためのスライドレール。
【請求項２】
ガイドレール（２）が、各端面で、固定部材（４）によって閉鎖されている、請求項１記載のスライドレール。
【請求項３】
固定部材（４）が、外向きの端壁を備えており、カバーエレメント（９）が、端壁（７）の平面まで延びている、請求項１または２記載のスライドレール。
【請求項４】
ガイドレール（２）が、横断面でＣ字形に形成されている、請求項１から３までのいずれか１項記載のスライドレール。
【請求項５】
カバーエレメント（９）が、開いた端面を有し、かつ横断面でＵ字形に形成されている、請求項１から４までのいずれか１項記載のスライドレール。
【請求項６】
カバーエレメント（９）が、形状接続式の係止結合部（１０，１１）を介してガイドレール（２）に保持されている、請求項１から５までのいずれか１項記載のスライドレール。
【請求項７】
係止結合部が、Ｕ字形のカバーエレメント（９）の自由端部で内向きに突出する２つの係止突起（１０）と、ガイドレール（２）に形成された、係止突起（１０）と協働する２つの係止凹部（１１）とから成っている、請求項１から６までのいずれか１項記載のスライドレール。
【請求項８】
カバーエレメント（９）が、押出成形品として形成されている、請求項１から７までのいずれか１項記載のスライドレール。
【請求項９】
カバーエレメント（９）と端壁（７）との間に、スライドレール（１）の端面から看取できる隠し継目（８）が形成されている、請求項１から８までのいずれか１項記載のスライドレール。
【請求項１０】
隠し継目（８）が、端壁（７）の３つの面に設けられた切欠によって形成されている、請求項１から９までのいずれか１項記載のスライドレール。
【請求項１１】
固定部材（４）の端壁（７）が、保持ブロック（６）に形成されており、該保持ブロック（６）が、ガイドレール（２）を固定するための固定孔を備えている、請求項１から１０までのいずれか１項記載のスライドレール。
【請求項１２】
保持ブロック（６）が、端壁（７）とは反対側で、ガイドレール（２）に挿入可能な付加部（５）を備えている、請求項１から１１までのいずれか１項記載のスライドレール。
【請求項１３】
スライドレール（１）が、ドアの全幅にわたって延びている、請求項１から１２までのいずれか１項記載のスライドレール。
【請求項１４】
スライドレール（１）と協働するドアクローザ（１３）が、スライドレール（１）と同じ長さを有している、請求項１から１３までのいずれか１項記載のスライドレール。
【請求項１５】
カバーエレメント（９）が、様々な材料、特にアルミニウム、特殊鋼またはプラスチックから成っている、請求項１から１４までのいずれか１項記載のスライドレール。
【請求項１６】
カバーエレメント（９）が、様々な形状を有している、請求項１から１５までのいずれか１項記載のスライドレール。
【請求項１７】
カバーエレメント（９）の表面が、多種多様に構成できるようになっている、請求項１から１６までのいずれか１項記載のスライドレール。
【発明の詳細な説明】
【技術分野】
【０００１】
本発明は、ドアクローザなどのためのスライドレールであって、スライド部材をガイドするためのガイドレールを備えている形式のものに関する。
【０００２】
そのようなスライドレールは広く知られている。スライドレールは、原則として視覚的にそれほど好ましいものではなく、顧客の個別的な要求に対して部分的にしか適合させることができない。
【０００３】
したがって本発明の課題は、視覚的な観点で好ましい印象を与え、かつ個々の要求に簡単に適合させることのできる新たな形式のスライドレールを提供することである。
【０００４】
この課題は、ドアクローザなどのためのスライドレールであって、スライド部材をガイドするためのガイドレールを備えている形式のものにおいて、ガイドレールがカバーエレメントで被覆されるようになっている、ことによって解決される。
【０００５】
このような実施形態によって、視覚的な観点から極めて良好で、かつ個別的な要求に簡単に適合させることのできるスライドレールが提供される。既に組み込まれた状態でも、カバーエレメントは、別のものと交換することができるので、変化した好みに適合させることができる。
【０００６】
有利な実施形態は、従属請求項に記載した。
【０００７】
有利な実施形態によれば、ガイドレールが、端面で開いていて、かつ各端面で、固定部材によって閉鎖されているので、本発明によるスライドレールは全体として閉じた構造形式を有している。
【０００８】
本発明の実施形態によれば、固定部材が、外向きの端壁を備えており、カバーエレメントが、端壁の平面まで延びており、これによって閉じた構造形式の印象をさらに改善することができる。
【０００９】
有利には、ガイドレールは、横断面でＣ字形に形成されており、これによってガイドレール内でガイドされるスライド部材の確実なガイドが保証される。
【００１０】
有利には、カバーエレメントは、開いた端面を有し、かつ横断面でＵ字形に形成されているので、ガイドレールにカバーエレメントを簡単かつ迅速に取り付けることができる。もちろんスライド部材の係合のために、カバーエレメントの内側に切込が設けられている。
【００１１】
ガイドレールに対するカバーエレメントの確実な固定を保証するために、有利な実施形態によれば、カバーエレメントは、形状接続（formschluessig；形状による束縛）式の係止結合部を介してガイドレールに保持されている。
【００１２】
有利には、係止結合部は、Ｕ字形のカバーエレメントの自由端部で内向きに突出する２つの係止突起と、ガイドレールに形成された、係止突起と協働する２つの係止凹部とから形成されている。
【００１３】
十分なねじり剛性を得るために、カバーは、有利には押出成形品として形成されている。
【００１４】
本発明の実施形態によれば、カバーエレメントと端壁との間に、スライドレールの端面から看取できる隠し継目が形成されており、これによって特別な視覚効果が得られる。
【００１５】
有利には、隠し継目は、端壁の３つの面に設けられた切欠によって形成されている。第４の面には切欠が設けられていないので、完成組立状態で、端壁は、ガイドレールの後方の脚部を継目なしにカバーする。
【００１６】
有利な実施形態によれば、固定部材の端壁が保持ブロックに形成されており、保持ブロックは、ドア、ドアフレームまたは壁などにガイドレールを固定するための固定孔を備えている。さらに保持ブロックは、端壁とは反対側で、ガイドレールに挿入可能な付加部を備えている。このような実施形態に基づいて、スライドレールは、確実、迅速かつ簡単にドアまたはドアフレームなどに取り付けることができる。
【００１７】
特に好ましい視覚的な印象を得るために、スライドレールは、ドアの全幅にわたって延びていて、かつ／またはスライドレールと協働するドアクローザは、スライドレールと同じ長さを有している。
【００１８】
本発明によるスライドレールでは、スライドレールをドアなどに、ドアクローザを対応配置されたドアフレームなどに固定するか、または逆の形式で固定することができる。選択的な実施形態によれば、ドアクローザをドアなどに、スライドレールを対応配置されたドアフレームなどに固定することもできる。
【００１９】
本発明のさらなる詳細、特徴および利点は、以下の説明から明らかである。
【００２０】
次に、図面につき本発明の実施例を説明する。
【００２１】
図面には、本発明に関連する構成部材だけを図示しており、残りの構成部材については図面を判りやすくするために省略した。
【００２２】
スライドレール１は、Ｃ字形のガイドレール２から成っており、ガイドレール２内でスライド部材３がスライド可能にガイドされており、スライド部材３は、接続軸で、ガイドレール２の開放面から突出していて、かつロッド（アーム）１２を介してドアクローザ１３と結合されている。
【００２３】
ガイドレール２をドア、ドアフレームまたは壁などに固定するために、固定部材４が設けられており、固定部材４は、Ｃ字形のガイドレール２の開いた端面に挿入することができる。
【００２４】
各固定部材４は、ガイドレール２に挿入可能な付加部５と、固定孔を備えた、ガイドレール２を固定するための保持ブロック６と、端壁７とから成っている。端壁７は、周の３つの面に沿って、隠し継目（Schattenfuge；シャドーギャップ、２つの構成部材の間の接合部を隠して良好な外観を得るための継目）８を形成するための切欠（Ausklinkung）を備えている。
【００２５】
ガイドレール２は、Ｕ字形のカバーエレメント９で被覆可能であり、カバーエレメント９は、端面で開いている。カバーエレメント９をガイドレール２に固定するために、Ｕ字形のカバーエレメント９の自由端部の領域に、内向きに突出する係止突起１０が設けられており、係止突起１０は、ガイドレール２に設けられた係止凹部１１と協働する。
【００２６】
被せ嵌められた状態で、カバーエレメント９は、ガイドレール２を被覆するだけでなく、固定部材４もカバーするので、特に図７から判るように、固定部材４は、正面から看取できない。なぜならばカバーエレメント９の開いた端面と固定部材４の端壁７とが、一平面上に位置するからである。既に述べたように、端壁７の３つの面に設けられた切欠は、端壁７とカバー９との間の隠し継目８を形成する。端壁７の別の第４の面に切欠が設けられていないので、この面で、固定部材４は、ガイドレール２の後方の脚部をカバーしており、その結果後方の脚部は看取されない。
【００２７】
スライドレール１は、スライド部材３のスライド運動よりも長く形成することができ、かつたとえばドアの全幅にわたって延びている。対称性に関する理由から、スライドレール１は、スライドレール１と協働するドアクローザ１３と全く同じ長さに形成されている。
【００２８】
仕様に応じて、ドアクローザ１３をドアに固定し、スライドレール１をドアフレームなどに固定するか、またはスライドレール１をドアに固定し、ドアクローザ１３をドアフレームなどに固定することができる。
【００２９】
追加的なカバーエレメント９を使用することによって、全く個別的にドアクローザならびに使用される固定具に対する適合が達成される。したがってカバーエレメント９は、個別的な形状付与の他に多種多様な表面処理を有することのできる様々な材料、特にアルミニウム、特殊鋼またはプラスチックから形成することができる。
【図面の簡単な説明】
【００３０】
【図１】本発明によるスライドレールの平面図である。
【図２】図１のスライドレールの側面図である。
【図３】固定部材の斜視図である。
【図４】図３に示した固定部材の平面図である。
【図５】スライドレールの横断面図である。
【図６】図５の部分Ｘを詳しく示す図である。
【図７】本発明によるスライドレールとドアクローザとを示す斜視図である。
【図８】図７に示したスライドレールとドアクローザとを示す側面図である。
【符号の説明】
【００３１】
１  スライドレール、  ２  ガイドレール、  ３  スライド部材、  ４  固定部材、  ５  付加部、  ６  保持ブロック、  ７  端壁、  ８  隠し継目、  ９  カバーエレメント、  １０  係止突起、  １１  係止凹部、  １２  ロッド、  １３  ドアクローザ
【図１】
2007528954.tif 000003
【図２】
2007528954.tif 000004
【図３】
2007528954.tif 000005
【図４】
2007528954.tif 000006
【図５】
2007528954.tif 000007
【図６】
2007528954.tif 000008
【図７】
2007528954.tif 000009
【図８】
2007528954.tif 000010
【国際調査報告】
2007528954.tif 000011
2007528954.tif 000012
2007528954.tif 000013
2007528954.tif 000014